(57)【要約】【課題】適切な補正値を簡単に求めることができ、よって座標検出処理の処理時間を短縮することができる座標検出装置、及びこれを用いた表示装置、並びに座標検出方法を提供する。【解決手段】キャリブレーション処理を行うときに、表示装置に対して、５点の基準点を表示画面上に表示させることを指示する基準点表示指示部１１ａと、５点の基準点毎に、指示座標検出部１０ａが検出した指示座標と、その指示座標に対応した基準点の表示座標とのズレ量を求めて、指示座標と当該指示座標に対応する表示座標とのズレを補正するための補正値を算出する補正値算出部１１ｂとを設ける。【選択図】図３
2008276310.tif 000002
【特許請求の範囲】
【請求項１】
表示装置に設けられた表示画面上に、あるいは表示装置と一体に設置されて、指示が入力される指示入力装置に用いられるとともに、前記表示画面での指示位置の表示座標を検出する座標検出装置であって、
前記指示入力装置に設けられた指示入力面に対して、指示された指示位置の指示座標を検出する指示座標検出部と、
前記指示座標検出部が検出した指示座標を用いて、前記表示画面での表示座標を検出する表示座標検出部と、
前記指示座標検出部が検出した指示座標と、前記表示座標検出部が当該指示座標を用いて検出した表示座標とのズレを補正するためのキャリブレーション処理を行うキャリブレーション処理部とを備え、
前記キャリブレーション処理部には、前記キャリブレーション処理を行うときに、前記表示装置に対して、５点の基準点を前記表示画面上に表示させることを指示する基準点表示指示部、及び
前記５点の基準点毎に、前記指示座標検出部が検出した指示座標と、その指示座標に対応した基準点の表示座標とのズレ量を求めて、前記ズレを補正するための補正値を算出する補正値算出部が設けられている、
ことを特徴とする座標検出装置。
【請求項２】
前記基準点表示指示部は、前記５点の基準点を前記表示画面上に表示させることにより、前記５点の基準点のうち、３点の基準点を通る第１の座標軸、及び前記３点の基準点の中心の基準点にて前記第１の座標軸と直交し、かつ、残りの２点の基準点を通る第２の座標軸を前記表示画面上に規定して、前記第１及び第２の座標軸を用いて当該表示画面上に第１、第２、第３、及び第４の領域を設定させ、
前記補正値算出部には、前記表示画面の中心点と前記指示入力面の中心点との位置ズレを補正するためのオフセット補正値を算出するオフセット補正値算出部と、
前記第１〜第４の領域毎に、前記表示画面と前記指示入力面との間の上下及び左右の非対称の各ズレを補正するための非対称補正値を算出する非対称補正値算出部とが設けられている請求項１に記載の座標検出装置。
【請求項３】
前記表示座標検出部には、前記指示座標検出部が検出した指示位置の指示座標を、前記オフセット補正値算出部が算出したオフセット補正値にて補正し、かつ、その補正後の指示座標に基づいて前記指示位置が前記第１〜第４の領域のうち、いずれの領域に含まれているかについて判別する領域判別部が設けられている請求項２に記載の座標検出装置。
【請求項４】
前記基準点表示指示部は、前記表示画面の中心点と、前記第１の座標軸上で前記中心点を挟んで対称の位置にある２点と、前記第２の座標軸上で前記中心点を挟んで対称の位置にある２点を、前記５点の基準点として用いる請求項２または３に記載の座標検出装置。
【請求項５】
前記補正値算出部が算出した補正値を記憶する記憶部を備えている請求項１〜４のいずれか１項に記載の座標検出装置。
【請求項６】
請求項１〜５のいずれか１項に記載の座標検出装置を用いたことを特徴とする表示装置。
【請求項７】
表示装置に設けられた表示画面上に、あるいは表示装置と一体に設置されて、指示が入力される指示入力装置に用いられるとともに、前記表示画面での指示位置の表示座標を検出する座標検出方法であって、
前記指示入力装置に設けられた指示入力面に対して、指示された指示位置の指示座標と、当該指示座標に対応する前記表示画面での表示座標とのズレを補正するためのキャリブレーション処理を行うときに、前記表示装置に対して、５点の基準点を前記表示画面上に表示させる表示工程と、
前記５点の基準点毎に、前記指示入力面での指示座標と、その指示座標に対応した基準点の表示座標とのズレ量を求めて、前記ズレを補正するための補正値を算出する算出工程と
を備えていることを特徴とする座標検出方法。
【請求項８】
表示装置に設けられた表示画面上に、あるいは表示装置と一体に設置されて、指示が入力される指示入力装置に用いられるとともに、前記表示画面での指示位置の表示座標を検出する座標検出方法を、コンピュータに実行させるための座標検出プログラムであって、
前記指示入力装置に設けられた指示入力面に対して、指示された指示位置の指示座標と、当該指示座標に対応する前記表示画面での表示座標とのズレを補正するためのキャリブレーション処理を行うときに、前記表示装置に対して、５点の基準点を前記表示画面上に表示させる表示ステップと、
前記５点の基準点毎に、前記指示入力面での指示座標と、その指示座標に対応した基準点の表示座標とのズレ量を求めて、前記ズレを補正するための補正値を算出する算出ステップと
をコンピュータに実行させることを特徴とする座標検出プログラム。
【発明の詳細な説明】
【技術分野】
【０００１】
本発明は、指示された指示位置の座標を検出する座標検出装置、及びこれを用いた表示装置、並びに座標検出方法に関する。
【背景技術】
【０００２】
近年、例えば表示装置では、タッチパネル機能などの情報表示機能以外の機能を付与することにより、ユーザーに対する利便性の向上などが図られた高機能な表示装置が提供されている。すなわち、このような表示装置には、例えば液晶表示装置と、この液晶表示装置の表示画面上に設置されたタッチパネルとが設けられている。そして、表示装置では、液晶表示装置がその表示画面に指示入力画像を表示するとともに、タッチパネルが指示入力画像に対するユーザーからの操作（指示）入力を検出することにより、ユーザーが望んだ情報などが表示画面に表示されるようになっている。
【０００３】
また、上記のようなタッチパネルには、その指示入力面へのユーザーのタッチ位置（指示位置）を検出し、かつ、その検出結果を基に上記表示画面での当該指示位置の表示座標を求める座標検出装置が用いられている。また、このような座標検出装置では、通常、上記指示座標と対応する表示座標とのズレを補正するためのキャリブレーション処理が実行されるように構成されている。
【０００４】
すなわち、タッチパネルでは、ユーザーがタッチした指示入力面での指示位置の指示座標と、座標検出装置によって検出された表示画面での表示座標とが一致せずに、ズレを生じることがある。それ故、座標検出装置が、上記キャリブレーション処理を適宜行うことによって、指示座標と表示座標とを一致させて、表示座標の検出精度、ひいてはユーザーの指示入力動作の検出精度の低下防止が図られている。
【０００５】
また、上記ズレの発生原因としては、タッチパネルと液晶表示装置との取付位置のズレ（つまり、指示入力面及び表示画面の各中心点間のズレ）、さらには指示入力面と表示画面との間に間隔があることによる視差、指示入力面と表示画面とが非平行になることによる視差の拡大、あるいはタッチパネルの経時変化による特性変化などが挙げられる。
【０００６】
一方、従来の座標検出装置には、例えば下記特許文献１に記載されているように、表示画面の中心点で互いに直交する２つの境界線により、当該表示画面を４つの領域に分割し、かつ、４つの領域毎に、上述のズレを補正するためのオフセット量及び係数を算出するものが提案されている。また、この従来の座標検出装置では、算出したオフセット量及び係数を使用して、対応する領域毎に、指示座標から表示座標に変換するための１次変換式を定めている。
【０００７】
さらに、この従来の座標検出装置では、指示座標から各境界線までの距離に応じた依存度を求めて、当該依存度により各１次変換式を重み付けすることにより、タッチパネルのリニアリティ歪や台形歪などに起因する上下非対称あるいは左右非対称のズレが生じている場合でも、これらの非対称のズレを補正して、指示座標に対応した表示座標を検出可能とされていた。
【特許文献１】特開平６−３５６０８号公報
【発明の開示】
【発明が解決しようとする課題】
【０００８】
ところが、上記のような従来の座標検出装置では、適切な補正値を簡単に求めることができないという問題点があった。具体的にいえば、この従来の座標検出装置では、ユーザーのタッチ動作が行われる毎に、そのタッチ動作による指示入力面での指示座標を検出して、領域毎の上記依存度を求めていた。すなわち、この従来の座標検出装置では、タッチ動作毎に、指示座標と、当該指示座標に対応した表示画面での表示座標とのズレを補正するための補正値の算出処理を行う必要があり、適切な補正値を簡単に求めることができなかった。この結果、この従来の座標検出装置では、表示座標の座標検出処理の処理時間を短縮することが困難であった。
【０００９】
上記の課題を鑑み、本発明は、適切な補正値を簡単に求めることができ、よって座標検出処理の処理時間を短縮することができる座標検出装置、及びこれを用いた表示装置、並びに座標検出方法を提供することを目的とする。
【課題を解決するための手段】
【００１０】
上記の目的を達成するために、本発明にかかる座標検出装置は、表示装置に設けられた表示画面上に、あるいは表示装置と一体に設置されて、指示が入力される指示入力装置に用いられるとともに、前記表示画面での指示位置の表示座標を検出する座標検出装置であって、
前記指示入力装置に設けられた指示入力面に対して、指示された指示位置の指示座標を検出する指示座標検出部と、
前記指示座標検出部が検出した指示座標を用いて、前記表示画面での表示座標を検出する表示座標検出部と、
前記指示座標検出部が検出した指示座標と、前記表示座標検出部が当該指示座標を用いて検出した表示座標とのズレを補正するためのキャリブレーション処理を行うキャリブレーション処理部とを備え、
前記キャリブレーション処理部には、前記キャリブレーション処理を行うときに、前記表示装置に対して、５点の基準点を前記表示画面上に表示させることを指示する基準点表示指示部、及び
前記５点の基準点毎に、前記指示座標検出部が検出した指示座標と、その指示座標に対応した基準点の表示座標とのズレ量を求めて、前記ズレを補正するための補正値を算出する補正値算出部が設けられていることを特徴とするものである。
【００１１】
上記のように構成された座標検出装置では、上記キャリブレーション処理部において、キャリブレーション処理を行うときに、表示装置に対して、５点の基準点を表示画面上に表示させることを指示する基準点表示指示部が設置されている。また、キャリブレーション処理部には、５点の基準点毎に、指示座標検出部が検出した指示座標と、その指示座標に対応した基準点の表示座標とのズレ量を求めて、上記ズレを補正するための補正値を算出する補正値算出部が設けられている。これにより、上記従来例と異なり、キャリブレーション処理部が適切な補正値を簡単に求めることができ、表示座標検出部が指示座標に対応した表示座標の座標検出処理の処理時間を短縮することができる。
【００１２】
なお、ここでいう、表示装置と一体に設置される指示入力装置には、表示装置の内部に組み込まれる指示入力装置が含まれている。
【００１３】
また、上記座標検出装置において、前記基準点表示指示部は、前記５点の基準点を前記表示画面上に表示させることにより、前記５点の基準点のうち、３点の基準点を通る第１の座標軸、及び前記３点の基準点の中心の基準点にて前記第１の座標軸と直交し、かつ、残りの２点の基準点を通る第２の座標軸を前記表示画面上に規定して、前記第１及び第２の座標軸を用いて当該表示画面上に第１、第２、第３、及び第４の領域を設定させ、
前記補正値算出部には、前記表示画面の中心点と前記指示入力面の中心点との位置ズレを補正するためのオフセット補正値を算出するオフセット補正値算出部と、
前記第１〜第４の領域毎に、前記表示画面と前記指示入力面との間の上下及び左右の非対称の各ズレを補正するための非対称補正値を算出する非対称補正値算出部とが設けられていることが好ましい。
【００１４】
この場合、表示画面と指示入力面との間に上下非対称あるいは左右非対称のズレが生じているときでも、適切な補正値を簡単に求めて、座標検出処理の処理時間を短縮することができる。
【００１５】
また、上記座標検出装置において、前記表示座標検出部には、前記指示座標検出部が検出した指示位置の指示座標を、前記オフセット補正値算出部が算出したオフセット補正値にて補正し、かつ、その補正後の指示座標に基づいて前記指示位置が前記第１〜第４の領域のうち、いずれの領域に含まれているかについて判別する領域判別部が設けられてもよい。
【００１６】
この場合、上記表示座標の座標検出処理を簡単化することが可能となり、当該座標検出処理の処理時間をより確実に短縮することができる。
【００１７】
また、上記座標検出装置において、前記基準点表示指示部は、前記表示画面の中心点と、前記第１の座標軸上で前記中心点を挟んで対称の位置にある２点と、前記第２の座標軸上で前記中心点を挟んで対称の位置にある２点を、前記５点の基準点として用いることが好ましい。
【００１８】
この場合、適切な補正値の算出処理をより簡単に行うことができ、キャリブレーション処理の処理時間の短縮化を図ることができる。
【００１９】
また、上記座標検出装置において、前記補正値算出部が算出した補正値を記憶する記憶部を備えていることが好ましい。
【００２０】
この場合、上記表示座標検出部は指示座標検出部からの指示座標と記憶部に記憶されている補正値とを使用して、表示画面での指示位置の表示座標を容易に、かつ、迅速に検出することができる。
【００２１】
また、本発明の表示装置は、上記いずれかの座標検出装置を用いたことを特徴とするものである。
【００２２】
上記のように構成された表示装置では、適切な補正値を簡単に求めて、座標検出処理の処理時間を短縮することができる座標検出装置が用いられているので、高性能な指示入力装置（タッチパネル機能）付きの表示装置を容易に構成することができる。
【００２３】
また、本発明の座標検出方法は、表示装置に設けられた表示画面上に、あるいは表示装置と一体に設置されて、指示が入力される指示入力装置に用いられるとともに、前記表示画面での指示位置の表示座標を検出する座標検出方法であって、
前記指示入力装置に設けられた指示入力面に対して、指示された指示位置の指示座標と、当該指示座標に対応する前記表示画面での表示座標とのズレを補正するためのキャリブレーション処理を行うときに、前記表示装置に対して、５点の基準点を前記表示画面上に表示させる表示工程と、
前記５点の基準点毎に、前記指示入力面での指示座標と、その指示座標に対応した基準点の表示座標とのズレ量を求めて、前記ズレを補正するための補正値を算出する算出工程とを備えていることを特徴とするものである。
【００２４】
また、本発明の座標検出プログラムは、表示装置に設けられた表示画面上に、あるいは表示装置と一体に設置されて、指示が入力される指示入力装置に用いられるとともに、前記表示画面での指示位置の表示座標を検出する座標検出方法を、コンピュータに実行させるための座標検出プログラムであって、
前記指示入力装置に設けられた指示入力面に対して、指示された指示位置の指示座標と、当該指示座標に対応する前記表示画面での表示座標とのズレを補正するためのキャリブレーション処理を行うときに、前記表示装置に対して、５点の基準点を前記表示画面上に表示させる表示ステップと、
前記５点の基準点毎に、前記指示入力面での指示座標と、その指示座標に対応した基準点の表示座標とのズレ量を求めて、前記ズレを補正するための補正値を算出する算出ステップとをコンピュータに実行させることを特徴とするものである。
【００２５】
上記のように構成された本発明の座標検出方法、及び座標検出プログラムでは、キャリブレーション処理が行われるときに、５点の基準点が上記表示装置の表示画面上に表示される。そして、５点の基準点毎に、指示入力面での指示座標と、その指示座標に対応した基準点の表示座標とのズレ量を求めて、上記ズレを補正するための補正値を算出している。これにより、上記従来例と異なり、適切な補正値を簡単に求めることができ、指示座標に対応した表示座標の座標検出処理の処理時間を短縮することができる。
【発明の効果】
【００２６】
本発明によれば、適切な補正値を簡単に求めることができ、よって座標検出処理の処理時間を短縮することができる座標検出装置、及びこれを用いた表示装置、並びに座標検出方法を提供することが可能となる。
【発明を実施するための最良の形態】
【００２７】
以下、本発明の座標検出装置、表示装置、及び座標検出方法の好ましい実施形態について、図面を参照しながら説明する。なお、以下の説明では、本発明を透過型の液晶表示装置上に設置された抵抗膜式のタッチパネルに適用した場合を例示して説明する。また、以下の説明では、上記液晶表示装置がパーソナルコンピュータ（以下、“パソコン”という。）のディスプレイに用いられた場合を例示して説明する。
【００２８】
図１は、本発明の一実施形態にかかる液晶表示装置の概略構成を示す側面図である。図２は、図１に示したタッチパネルに設けられた電極部の構成を説明する図であり、図２（ａ）及び図２（ｂ）はそれぞれ上部電極部側及び下部電極部側から見たときの下部電極部及び上部電極部の平面図である。
【００２９】
図１において、本実施形態の表示装置１は、ユーザーの視認側（図の上側）に配置された抵抗膜式のタッチパネル２と、このタッチパネル２の背面側（図の下側）に設置された液晶表示装置３とを備えている。また、表示装置１には、液晶表示装置３の背面側に配置されて、当該液晶表示装置３に照明光を照射するバックライト装置４が設けられている。さらに、表示装置１では、タッチパネル２と液晶表示装置３とがスペーサ５を介在させて一体的に組み付けられている。
【００３０】
タッチパネル２は、ユーザーからの指示が入力される指示入力装置であり、タッチパネル２には、後に詳述するように、本発明の座標検出装置が一体的に組み込まれている。また、このタッチパネル２には、外部からの押圧操作に応じて、変形可能に構成された透明な上部電極部２１と、上部電極部２１に対向して配置された透明な下部電極部２２とが設けられている。そして、タッチパネル２では、上部電極部２１がユーザーからの押圧操作、すなわち操作入力（指示）に応じて変形し、下部電極部２２に部分的に接触することにてオフ状態からオン状態に切替えられて、当該ユーザーからの指示を検出可能に構成されている。
【００３１】
具体的にいえば、上部電極部２１には、薄板状の基板２１ａと、この基板２１ａの下部電極部２２側の表面全面を覆うように形成された抵抗膜２１ｂとが設けられている。同様に、下部電極部２２には、薄板状の基板２２ａと、この基板２２ａの上部電極部２１側の表面全面を覆うように形成された抵抗膜２２ｂとが設けられている。
【００３２】
基板２１ａ、２２ａは、透明で可撓性を有する合成樹脂、例えばＰＥＴ（ポリエチレンテレフタレート）を用いて構成されている。また、抵抗膜２１ｂ、２２ｂは、ＩＴＯ（酸化インジウム錫）などの透明な導電性薄膜により構成されている。
【００３３】
また、下部電極部２２には、図２（ａ）に示すように、抵抗膜２２ｂ上で互いに平行に設けられた一対の平行電極２２ｃ、２２ｄが設けられている。各平行電極２２ｃ、２２ｄは、抵抗膜２２ｂと同じ透明な導電性材料を用いて当該抵抗膜２２ｂと一体的に設けられたものであり、図２の上下方向に沿って帯状に形成されている。
【００３４】
また、各平行電極２２ｃ、２２ｄは、ＦＰＣ（Flexible Printed Circuit）２５に接続されており、ＦＰＣ２５を介して接続された電源（図示せず）から直流電圧が印加されるようになっている。また、このＦＰＣ２５には、上記座標検出装置に含まれた後述の指示座標検出部が接続されており、ユーザーから指示された指示位置（タッチ位置）の指示座標を検出するようになっている。
【００３５】
一方、上部電極部２１には、図２（ｂ）に示すように、同図の左右方向に沿って帯状に形成された一対の平行電極２１ｃ、２１ｄが抵抗膜２１ｂ上で互いに平行に設けられている。これらの各平行電極２１ｃ、２１ｄは、抵抗膜２１ｂと同じ透明な導電性材料を用いて当該抵抗膜２１ｂと一体的に形成されたものであり、ＦＰＣ２５に接続されている。また、平行電極２１ｃ、２１ｄは、下部電極部２２側の平行電極２２ｃ、２２ｄと同様に、ＦＰＣ２５を介して直流電圧が印加されるようになっている。
【００３６】
また、上部電極部２１と下部電極部２２との間には、例えば両面粘着材を用いた封止部材２３が、上部電極部２１及び下部電極部２２の各外周部分に枠状に取り付けられており、これらの上部電極部２１と下部電極部２２とを電気的に絶縁した状態で、抵抗膜２１ｂ、２２ｂを互いに対向させるようになっている。
【００３７】
さらに、枠状の封止部材２３の一辺上には、図２（ａ）に示すように、ＦＰＣ２５が載置されており、上部電極部２１と下部電極部２２とが封止部材２３により一体化されたときに、ＦＰＣ２５は同時に上部電極部２１の抵抗膜２１ｂに気密に固着されるようになっている。
【００３８】
また、タッチパネル２では、図２に一点鎖線にて示す入力領域（すなわち、平行電極２１ｃ、２１ｄ及び２２ｃ、２２ｄで囲まれた領域）が設定されている。この入力領域は、タッチパネル２の指示入力面を実質的に構成しており、タッチパネル２では、当該入力領域内でユーザーからの指示が入力されるように構成されている。また、この入力領域の内部には、透明材料からなる突起部材２４（図１）が下部電極部２２側の抵抗膜２２ｂ上に複数形成されており、抵抗膜２１ｂ及び２２ｂが常時接触するのを確実に防止したり、ユーザーからの入力を円滑、かつ高精度に検出したりすることができるようになっている。
【００３９】
また、タッチパネル２では、液晶表示装置３の表示画面に表示された指示入力画像が上記入力領域（指示入力面）内でユーザーに視認可能に構成されている。そして、ユーザーが当該指示入力画像に対し、指やタッチペン等を用いた操作入力を行うと、上部電極部２１が当該操作入力に応じて変形して、その抵抗膜２１ｂが下部電極部２２の抵抗膜２２ｂに接触する。これにより、タッチパネル２では、抵抗膜２１ｂ、２２ｂの接触点に対応した電圧信号が上記指示座標検出部に出力されて指示入力面での指示位置の指示座標が検出され、その検出結果に基づき、指示入力画像（表示画面）上での表示座標が検出されるようになっている（詳細は後述。）。
【００４０】
液晶表示装置３には、液晶パネル３１と、液晶パネル３１の表示画面側及び非表示画面側にそれぞれ設けられた一対の偏光板３２及び３３が設けられている。また、この液晶パネル３１には、カラーフィルタ（図示せず）が設けられており、カラー表示を行えるようになっている。
【００４１】
また、液晶パネル３１の液晶モードや画素構造は任意である。また、液晶パネル３１の駆動モードも任意である。すなわち、液晶パネル３１としては、情報を表示できる任意の液晶パネルを用いることができる。それ故、図１においては液晶パネル３１の詳細な構造を図示せず、その説明も省略する。
【００４２】
バックライト装置４は、直下型のバックライト装置であり、図１の左右方向で所定間隔をおいて配置された複数の冷陰極管Ｌを備えている。そして、バックライト装置４は、液晶表示装置３に対して平面状の上記照明光を照射するようになっている。
【００４３】
尚、上記の説明以外に、熱陰極管、キセノン管などの放電管を用いた線状光源や、ＬＥＤなどの点状光源を備えたバックライト装置を使用することもできる。また、導光板を使用したエッジライト型のバックライト装置を用いることもできる。
【００４４】
次に、図３を参照して、本実施形態のタッチパネル２の要部構成について具体的に説明する。
【００４５】
図３は、上記タッチパネルの要部構成を示すブロック図である。図３に示すように、タッチパネル２は、指示入力部６と、この指示入力部６から信号が入力されるとともに、入力された信号を処理する信号処理部７とを備えている。また、タッチパネル２には、パソコン８が接続されており、タッチパネル２はパソコン８との間で指示信号や検出信号などの信号が入出力されるようになっている。
【００４６】
また、パソコン８には、表示装置１の各部を制御するためのＬＣＤ制御部９が組み込まれている。すなわち、図３に例示するように、パソコン８には、液晶表示装置３の駆動制御を行うパネル制御部９ａと、バックライト装置４の駆動制御を行うバックライト制御部９ｂとを有するＬＣＤ制御部９が設けられている。
【００４７】
パネル制御部９ａは、パソコン８に設けられたＨＤＤ（図示せず）やアンテナ（図示せず）などの液晶表示装置３の外部から入力される画像信号に基づいて、液晶パネル３１を画素単位に駆動制御するようになっている。これにより、液晶表示装置３の表示画面には、入力された画像信号に応じた文字や画像などの情報が表示される。また、このパネル制御部９ａは、ＣＰＵやＭＰＵを含んだパソコン８の制御部（図示せず）からの指示信号に従って、ユーザーからの指示が入力される上記指示入力画像を液晶表示装置３の表示画面に表示させるようになっている。
【００４８】
一方、バックライト制御部９ｂは、上記照明光の輝度変更を指示する調光指示信号が液晶表示装置３に設けられたコントローラ等から入力されるようになっている。そして、バックライト制御部９ｂでは、入力された調光指示信号に基づいて、冷陰極管Ｌへの供給電力を制御することにより、ユーザーが所望する輝度によって、情報などが上記表示画面に表示される。
【００４９】
指示入力部６は、ＦＰＣ２５と信号処理部７との間に設けられたものであり、ユーザーが指示入力画像に対する操作入力（タッチ動作）を行ったときに、上記電圧信号が上部電極部２１及び下部電極部２２からＦＰＣ２５を介して入力される。そして、指示入力部６は、入力された電圧信号を信号処理部７に出力するようになっている。また、この指示入力部６には、パソコン８からの指示信号が入力されるように構成されており、入力された指示信号を信号処理部７に出力するようになっている。これにより、信号処理部７は、パソコン８からの指示信号に従って、タッチ動作による表示座標の検出処理などの所定の信号処理を実行するようになっている。
【００５０】
信号処理部７は、上記座標検出装置を用いて構成されたものであり、タッチ動作が行われたときに、そのタッチ動作によって指示された液晶表示装置３の上記表示画面での指示位置の表示座標を検出するようになっている。具体的にいえば、この信号処理部７には、指示位置の座標を検出する座標検出部１０、キャリブレーション処理を実行するキャリブレーション処理部１１、及び記憶部としてのメモリ１２が設けられている。
【００５１】
座標検出部１０には、タッチパネル２の上記指示入力面に対して、指示された指示位置の指示座標を検出する指示座標検出部１０ａと、この指示座標検出部１０ａが検出した指示座標を用いて、表示画面での表示座標を検出する表示座標検出部１０ｂとが設けられている。
【００５２】
指示座標検出部１０ａは、ＣＰＵやＤＳＰなどを用いて構成されており、指示入力部６を介在させて入力された電圧信号に基づいて、指示入力面での指示位置の指示座標を検出するようになっている。つまり、上部電極部２１の平行電極２１ｃ、２１ｄ及び下部電極部２２の平行電極２２ｃ、２２ｄに対し、直流電圧が印加されているときに、ユーザーがタッチ動作を行うと、指示座標検出部１０ａには、上部電極部２１の抵抗膜２１ｂ及び下部電極部２２の抵抗膜２２ｂの接触点と平行電極２２ｃまたは２２ｄとの間の電圧値に応じた電圧信号が入力される。そして、指示座標検出部１０ａは、入力された電圧信号に基づき図２の左右方向（以下、“ｘ軸方向”という。）での指示位置の指示座標、すなわちｘ座標値を検出する。
【００５３】
同時に、指示座標検出部１０ａには、上記接触点と平行電極２１ｃまたは２１ｄとの間の電圧値に応じた電圧信号が入力される。そして、指示座標検出部１０ａは、入力された電圧信号に基づき図２の上下方向（以下、“ｙ軸方向”という。）での指示位置の指示座標、すなわちｙ座標値を検出する。このように指示座標検出部１０ａは、タッチ動作による指示位置の指示座標（ｘ、ｙ座標値）を検出する。また、これらのｘ、ｙ座標値は、指示入力面の中心を原点とし、当該原点にて互いに直交する上記ｘ軸方向及びｙ軸方向にて規定されるｘ−ｙ座標系での位置座標である。
【００５４】
また、表示座標検出部１０ｂは、指示座標検出部１０ａからの指示座標を基に表示座標を検出するときに、キャリブレーション処理部１１により算出された後述の補正値を使用するようになっており、指示入力面と表示画面との位置ズレを校正しつつ、表示座標を求めるようになっている。詳細には、表示座標検出部１０ｂは、指示座標のｘ座標値に基づいて、上記表示画面での縦方向（以下、“Ｘ軸方向”という。）での表示座標、すなわちＸ座標値を検出する。また、表示座標検出部１０ｂは、指示座標のｘ座標値に基づいて、上記表示画面での横方向（以下、“Ｙ軸方向”という。）での表示座標、すなわちＹ座標値を検出する。また、これらのＸ、Ｙ座標値は、表示画面の中心を原点とし、当該原点にて互いに直交する上記Ｘ軸方向及びＹ軸方向にて規定されるＸ−Ｙ座標系での位置座標である。
【００５５】
さらに、表示座標検出部１０ｂには、領域判別部としての象限判別部１０ｂ１が設けられており、象限判別部１０ｂ１は、後に詳述するように、タッチ動作による指示位置がキャリブレーション処理部１１によって設定された第１〜第４象限のいずれの象限に含まれているかについて判別するようになっている。そして、表示座標検出部１０ｂは、指示入力部６を介在させて、あるいは直接的に検出した表示座標をパソコン８に出力するようになっている。
【００５６】
キャリブレーション処理部１１は、ＣＰＵやＤＳＰなどを用いて構成されており、指示座標検出部１０ａが検出した指示座標と、表示座標検出部１０ｂが当該指示座標を用いて検出した表示座標とのズレを補正するための上記キャリブレーション処理を行うようになっている。また、このキャリブレーション処理部１１には、基準点表示指示部１１ａと、補正値算出部１１ｂとが設けられている。
【００５７】
基準点表示指示部１１ａは、キャリブレーション処理を行うときに、液晶表示装置３に対して、５点の基準点１〜５を表示画面上に表示させるようになっている。また、基準点表示指示部１１ａは、基準点１〜５として、例えば表示画面の上辺、下辺、左辺、及び右辺の各中点と、当該表示画面の中心点とを用いるように、構成されている。
【００５８】
具体的にいえば、基準点表示指示部１１ａは、キャリブレーション処理が行われるときに、パネル制御部９ａに対して、指示信号を出力する。これにより、液晶表示装置３の表示画面ｄｓには、図４に例示するように、表示画面ｄｓの上辺ｄｓｕ、下辺ｄｓｂ、左辺ｄｓｌ、及び右辺ｄｓｒにそれぞれ平行な上線５０ｕ、下線５０ｄ、左線５０ｌ、右線５０ｒの各中点の位置に基準点１〜４が表示されるとともに、表示画面ｄｓの中心点の位置に基準点５が表示される。また、これらの各基準点１〜５は、図４に例示する円あるいは黒点や×点などの所定形状で表示されるようになっている。なお、一点鎖線にて示した上線５０ｕ、下線５０ｄ、左線５０ｌ、右線５０ｒは、表示画面ｄｓ上に表示されない。
【００５９】
また、基準点表示指示部１１ａが、５点の基準点１〜５を表示画面ｄｓ上に表示させることにより、当該表示画面ｄｓでは、表示画面ｄｓの中心点５を原点とし、かつ、当該中心点５にて互いに直交するＸ軸及びＹ軸を規定して、これらＸ軸及びＹ軸を用いて区切られる第１〜第４の領域としての第１〜第４象限が設定されて、補正値算出部１１ｂでの補正値算出に使用されるように構成されている（詳細は後述。）。
【００６０】
補正値算出部１１ｂは、５点の基準点１〜５毎に、指示座標検出部１０ａが検出した指示座標と、その指示座標に対応した基準点の表示座標とのズレ量を求めて、上記ズレを補正するための補正値を算出するようになっている。また、この補正値算出部１１ｂには、オフセット補正値算出部１１ｂ１と、非対称補正値算出部としての拡大／縮小補正値算出部１１ｂ２とが設けられている。
【００６１】
オフセット補正値算出部１１ｂ１は、表示画面の中心点と指示入力面の中心点との位置ズレを補正するためのオフセット補正値を算出するようになっている。また、拡大／縮小補正値算出部１１ｂ２は、上記第１〜第４象限毎に、表示画面と指示入力面との間の上下及び左右の非対称の各ズレを補正するための拡大／縮小補正値（非対称補正値）を算出するようになっている。そして、信号処理部７では、経時変化やタッチパネル２の形状や材質などに起因する上下非対称なズレ及び左右非対称なズレがタッチパネル２と液晶表示装置３との間に生じているときでも、表示座標検出部１０ｂが補正値算出部１１ｂで算出された補正値を用いることにより、それらの非対称なズレを適切に補正して、指示位置の正確な表示座標を検出できるようになっている（詳細は後述。）。
【００６２】
メモリ１２には、上記座標検出部１０及びキャリブレーション処理部１１の各部を機能させるために、本発明の座標検出プログラムが格納されている。また、メモリ１２には、オフセット補正値算出部１１ｂ１が算出したオフセット補正値、及び拡大／縮小補正値算出部１１ｂ２が算出した拡大／縮小補正値などが適宜入力されて保持される。また、このメモリ１２には、指示入力面の大きさなどのタッチパネル２に関する情報だけでなく、液晶表示装置３の有効表示領域（表示画面のインチサイズ）などの液晶表示装置３側の情報が、必要に応じて、記憶されるようになっており、信号処理部７の各部の動作処理を効率よく、かつ、高精度に実行できるようになっている。
【００６３】
ここで、上記のように構成された本実施形態の動作について、図１〜図７を参照して、具体的に説明する。なお、以下の説明では、本実施形態の信号処理部（座標検出装置）７の動作について主に説明する。
【００６４】
まず図５及び図６を参照して、キャリブレーション処理部１１が行うキャリブレーション処理について具体的に説明する。
【００６５】
図５は上記キャリブレーション処理部による補正値の取得処理を説明する図であり、図６は上記キャリブレーション処理部の動作を示すフローチャートである。
【００６６】
信号処理部７がパソコン８からキャリブレーション処理の開始を示す指示信号を入力すると、図６のステップＳ１に示すように、キャリブレーション処理部１１は表示画面ｄｓ上に基準点１〜５を表示させる。これにより、図５に示すように、基準点１〜５が表示画面ｄｓ上に表示される。また、表示画面ｄｓでは、基準点１〜５のうち、基準点３、４は上辺ｄｓｕ及び下辺ｄｓｂに平行なＸ軸上に表示され、基準点１、２は左辺ｄｌ及び右辺ｄｒに平行なＹ軸上に表示され、基準点５はＸ軸とＹ軸とが直交する表示画面の中心点ＣＬ上に表示されている。
【００６７】
さらに、表示画面ｄｓ上では、図５に例示するように、基準点５（中心点ＣＬ）を原点とした上記Ｘ−Ｙ座標系が規定されるとともに、上辺ｄｓｕ、下辺ｄｓｂ、左辺ｄｓｌ、及び右辺ｄｓｒと、Ｘ軸及びＹ軸とによって区切られた第１〜第４象限が設定される。尚、図５に示すＸ軸及びＹ軸は、表示画面ｄｓ上には、表示されていない。
【００６８】
続いて、各基準点１〜５に対するタッチ動作が行われると、図６のステップＳ２に示すように、信号処理部７では、各基準点１〜５に対応する指示入力面での指示座標が求められる。具体的には、指示座標検出部１０ａは、各基準点１〜５でのｘ、ｙ座標値として、基準点１の指示座標（ｘ１、ｙ１）、基準点２の指示座標（ｘ２、ｙ２）、基準点３の指示座標（ｘ３、ｙ３）、基準点４の指示座標（ｘ４、ｙ４）、及び基準点５の指示座標（ｘ５、ｙ５）を検出する。その後、補正値算出部１１において、基準点１〜５毎に、指示入力面での指示座標と、その指示座標に対応した基準点の表示座標とのズレ量が算出される。
【００６９】
具体的には、オフセット補正値算出部１１ｂ１が、まず各基準点１〜５でのズレ量を求める。つまり、オフセット補正値算出部１１ｂ１は、例えば指示座標検出部１０ａからの基準点１の指示座標（ｘ１、ｙ１）から表示画面での基準点１の表示座標（Ｘ１、Ｙ１）を引き算することにより、基準点１でのＸ軸方向のズレ量ＺＸ１（＝ｘ１−Ｘ１）と、Ｙ軸方向のズレ量ＺＹ１（＝ｙ１−Ｙ１）を求める。同様に、オフセット補正値算出部１１ｂ１は、基準点２〜５でのＸ軸方向のズレ量ＺＸ２〜ＺＸ５と、Ｙ軸方向のズレ量ＺＹ２〜ＺＹ５を求める。そして、オフセット補正値算出部１１ｂ１は、求めたＸ軸方向のズレ量ＺＸ１〜ＺＸ５及びＹ軸方向のズレ量ＺＹ１〜ＺＹ５をメモリ１２に保持させる。
【００７０】
次に、図６のステップＳ３に示すように、オフセット補正値算出部１１ｂ１は、Ｘ軸方向及びＹ軸方向の各オフセット補正値を算出する。具体的には、オフセット補正値算出部１１ｂ１は、基準点１、２、５での各Ｘ軸方向のズレ量ＺＸ１、ＺＸ２、ＺＸ５の平均値を求めて、その求めた平均値をＸ軸方向のオフセット補正値Ｘ０（図５）とする。さらに、オフセット補正値算出部１１ｂ１は、基準点３、４、５での各Ｙ軸方向のズレ量ＺＹ３、ＺＹ４、ＺＹ５の平均値を求めて、その求めた平均値をＹ軸方向のオフセット補正値Ｙ０（図５）とする。そして、オフセット補正値算出部１１ｂ１は、これらのオフセット補正値Ｘ０、Ｙ０をメモリ１２に記憶させる。
【００７１】
また、上記ステップＳ３を実行することにより、図５に例示するように、指示入力面ｔｓの中心点ＣＬ’が表示画面ｄｓの中心点ＣＬに対して、位置ズレを生じている場合でも、オフセット補正値Ｘ０を用いることにより、指示入力面ｔｓの左辺ｔｓｌと表示画面ｄｓの左辺ｄｓｌとを一致させることができる。また、オフセット補正値Ｙ０を用いることにより、指示入力面ｔｓの上辺ｔｓｕ及び下辺ｔｓｂと表示画面ｄｓの上辺ｄｓｕ及び下辺ｄｓｂとをそれぞれ一致させることができる。この結果、中心点ＣＬ、ＣＬ’どうしのズレを仮想的に解消することができる。
【００７２】
次に、図６のステップＳ４に示すように、拡大／縮小補正値算出部１１ｂ２が、第２及び第３象限のＸ軸方向の拡大／縮小補正値と、第１及び第４象限のＸ軸方向の拡大／縮小補正値とを求める。具体的には、拡大／縮小補正値算出部１１ｂ２は、基準点３、５でのＸ軸方向の相対的なズレ量の差、つまりズレ量ＺＸ３とズレ量ＺＸ５との差を求めて、その求めた差の値に基づいて、第２及び第３象限のＸ軸方向の拡大／縮小補正値Ｘ２３を演算する。また、拡大／縮小補正値算出部１１ｂ２は、基準点４、５でのＸ軸方向の相対的なズレ量の差、つまりズレ量ＺＸ４とズレ量ＺＸ５との差を求めて、その求めた差の値に基づいて、第１及び第４象限のＸ軸方向の拡大／縮小補正値Ｘ１４を演算する。そして、拡大／縮小補正値算出部１１ｂ２は、これらの拡大／縮小補正値Ｘ２３、Ｘ１４をメモリ１２に記憶させる。
【００７３】
また、上記ステップＳ４を実行することにより、タッチパネル２と液晶表示装置３とにおいて、Ｘ軸方向の左半面（第２及び第３象限）と右半面（第１及び第４象限）とが経時変化等に起因して、不均一なズレ、すなわちＸ軸方向に関して左右非対称なズレが発生している場合でも、拡大／縮小補正値Ｘ２３またはＸ１４を用いることにより、当該左右非対称なズレを仮想的に解消することができる。
【００７４】
次に、図６のステップＳ５に示すように、拡大／縮小補正値算出部１１ｂ２が、第１及び第２象限のＹ軸方向の拡大／縮小補正値と、第３及び第４象限のＹ軸方向の拡大／縮小補正値とを求める。具体的には、拡大／縮小補正値算出部１１ｂ２は、基準点１、５でのＹ軸方向の相対的なズレ量の差、つまりズレ量ＺＹ１とズレ量ＺＹ５との差を求めて、その求めた差の値に基づいて、第１及び第２象限のＹ軸方向の拡大／縮小補正値Ｙ１２を演算する。また、拡大／縮小補正値算出部１１ｂ２は、基準点２、５でのＹ軸方向の相対的なズレ量の差、つまりズレ量ＺＹ２とズレ量ＺＹ５との差を求めて、その求めた差の値に基づいて、第３及び第４象限のＹ軸方向の拡大／縮小補正値Ｙ３４を演算する。そして、拡大／縮小補正値算出部１１ｂ２は、これらの拡大／縮小補正値Ｙ１２、Ｙ３４をメモリ１２に記憶させる。
【００７５】
また、上記ステップＳ５を実行することにより、タッチパネル２と液晶表示装置３とにおいて、Ｙ軸方向の上半面（第１及び第２象限）と下半面（第３及び第４象限）とが経時変化等に起因して、不均一なズレ、すなわちＹ軸方向に関して上下非対称なズレが発生している場合でも、拡大／縮小補正値Ｙ１２またはＹ３４を用いることにより、当該上下非対称なズレを仮想的に解消することができる。
【００７６】
尚、上記の説明以外に、拡大／縮小補正値算出部１１ｂ２が先にステップＳ５に示した算出処理を実行し、その後、ステップＳ４に示した算出処理を実行する構成でもよい。
【００７７】
以上のように、キャリブレーション処理が実行されて、オフセット補正値Ｘ０、Ｙ０及び拡大／縮小補正値Ｘ２３、Ｘ１４、Ｙ１２、Ｙ３４が取得される。なお、このキャリブレーション処理は、表示装置１の工場出荷時及びそのメンテナンス時に作業者やユーザーからの指示に従って、実行される。また、タッチパネル２が液晶表示装置３に対し、着脱可能に構成されている場合では、当該タッチパネル２が液晶表示装置３に装着されたときに、ユーザー等の指示に応じて、実行可能になっている。
【００７８】
次に、図７も参照して、ユーザーのタッチ動作が行われたときでの座標検出部１０による座標位置の検出動作について具体的に説明する。
【００７９】
図７は、図３に示した座標検出部の動作を示すフローチャートである。
【００８０】
図７のステップＳ６に示すように、座標検出部１０では、指示入力部６を介在させて上記電圧信号が入力されたか否かについて判別することにより、タッチ動作の有無について判断されている。そして、タッチ動作が行われたことが検出されると、指示座標検出部１０ａが入力された電圧信号に基づきタッチ動作による指示入力面での指示位置の指示座標（ｘ６、ｙ６）を検出して、表示座標検出部１０ｂに通知する。
【００８１】
次に、図７のステップＳ７に示すように、表示座標検出部１０ｂは、メモリ１２を参照することにより、オフセット補正値Ｘ０を用いて、指示座標検出部１０ａからの指示座標値ｘ６を補正して、オフセット補正後の指示座標値ｘ６’を求める。さらに、表示座標検出部１０ｂは、メモリ１２を参照することにより、オフセット補正値Ｙ０を用いて、指示座標検出部１０ａからの指示座標値ｙ６を補正して、オフセット補正後の指示座標値ｙ６’を求める。
【００８２】
続いて、図７のステップＳ７に示すように、表示座標検出部１０ｂでは、象限判別部１０ｂ１がオフセット補正後の指示座標値ｘ６’が第２あるいは第３象限に属しているか否かについて判別する。そして、オフセット補正後の指示座標値ｘ６’が第２あるいは第３象限に属していることを判別すると、表示座標検出部１０ｂは、指示座標値ｘ６’に対し拡大／縮小補正値Ｘ２３を乗算することにより、当該指示座標値ｘ６’を補正して、タッチ動作による指示位置に対応した表示座標のＸ座標値Ｘ７として検出する（ステップＳ９）。
【００８３】
一方、上記ステップＳ８において、オフセット補正後の指示座標値ｘ６’が第２あるいは第３象限に属していない、つまり第１あるいは第４象限に属していることを判別すると、表示座標検出部１０ｂは、指示座標値ｘ６’に対し拡大／縮小補正値Ｘ１４を乗算することにより、当該指示座標値ｘ６’を補正して、タッチ動作による指示位置に対応した表示座標のＸ座標値Ｘ７として検出する（ステップＳ１０）。
【００８４】
また、上記ステップＳ８において、オフセット補正後の指示座標値ｘ６’の値が“０”でＹ軸上に存在している場合（すなわち、指示座標値ｘ６’が第１〜第４象限のいずれの象限にも属していない場合）、象限判別部１０ｂ１は、当該指示座標値ｘ６’が例えば第１あるいは第４象限に属していると判別するように構成されている。そして、表示座標検出部１０ｂでは、ステップＳ１０と同様に、指示座標値ｘ６’と拡大／縮小補正値Ｘ１４との積の値、つまり“０”を求めて、表示座標のＸ座標値Ｘ７として検出するようになっている。このように、表示座標検出部１０ｂでは、オフセット補正後の指示座標値ｘ６’がＹ軸上に存在して左右非対称なズレが生じていない場合でも、表示座標のＸ座標値Ｘ７を正確に検出できるようになっている。
【００８５】
続いて、図７のステップＳ１１に示すように、表示座標検出部１０ｂでは、象限判別部１０ｂ１がオフセット補正後の指示座標値ｙ６’が第１あるいは第２象限に属しているか否かについて判別する。そして、オフセット補正後の指示座標値ｙ６’が第１あるいは第２象限に属していることを判別すると、表示座標検出部１０ｂは、指示座標値ｙ６’に対し拡大／縮小補正値Ｙ１２を乗算することにより、当該指示座標値ｙ６’を補正して、タッチ動作による指示位置に対応した表示座標のＹ座標値Ｙ７として検出する（ステップＳ１２）。
【００８６】
一方、上記ステップＳ１１において、オフセット補正後の指示座標値ｙ６’が第１あるいは第２象限に属していない、つまり第３あるいは第４象限に属していることを判別すると、表示座標検出部１０ｂは、指示座標値ｙ６’に対し拡大／縮小補正値Ｙ３４を乗算することにより、当該指示座標値ｙ６’を補正して、タッチ動作による指示位置に対応した表示座標のＹ座標値Ｙ７として検出する（ステップＳ１３）。
【００８７】
また、上記ステップＳ１１において、オフセット補正後の指示座標値ｙ６’の値が“０”でＸ軸上に存在している場合（すなわち、指示座標値ｙ６’が第１〜第４象限のいずれの象限にも属していない場合）、象限判別部１０ｂ１は、当該指示座標値ｙ６’が例えば第３あるいは第４象限に属していると判別するように構成されている。そして、表示座標検出部１０ｂでは、ステップＳ１３と同様に、指示座標値ｙ６’と拡大／縮小補正値Ｙ３４との積の値、つまり“０”を求めて、表示座標のＹ座標値Ｙ７として検出するようになっている。このように、表示座標検出部１０ｂでは、オフセット補正後の指示座標値ｙ６’がＸ軸上に存在して上下非対称なズレが生じていない場合でも、表示座標のＹ座標値Ｙ７を正確に検出できるようになっている。
【００８８】
次に、図７のステップＳ１４に示すように、表示座標検出部１０ｂは、求めた表示座標値Ｘ７、Ｙ７をパソコン８に出力して、ステップＳ６に戻る。
【００８９】
尚、上記の説明以外に、表示座標検出部１０ｂが先にステップＳ１１〜Ｓ１３に示した処理を実行し、その後、ステップＳ８〜Ｓ１０に示した処理を実行する構成でもよい。
【００９０】
以上のように構成された本実施形態では、キャリブレーション処理を行うときに、基準点表示指示部１１ａが液晶表示装置３に対して、５点の基準点１〜５を表示画面上に表示させることを指示している。また、補正値算出部１１ｂが５点の基準点１〜５毎に、指示座標検出部１０ａが検出した指示座標と、その指示座標に対応した基準点の表示座標とのズレ量を求めて、上記ズレを補正するための補正値を算出している。これにより、本実施形態では、上記従来例と異なり、キャリブレーション処理部１１が適切な補正値を簡単に求めることができ、表示座標検出部１０ｂが指示座標に対応した表示座標の座標検出処理の処理時間を短縮することができる。
【００９１】
すなわち、本実施形態では、図７に示したように、従来例と異なり、ユーザーのタッチ動作毎に、指示座標と、当該指示座標に対応した表示画面での表示座標とのズレを補正するための補正値の算出処理を行うことなく、指示座標に対応した表示座標を検出することができる。したがって、本実施形態では、従来例に比べて、表示座標の座標検出処理の処理時間を大幅に短くすることができ、ユーザーのタッチ動作からの表示座標の座標検出までの応答時間をも大幅に短くすることができる。
【００９２】
また、上記のように、本実施形態の表示装置１では、適切な補正値を簡単に求めて、上記座標検出処理の処理時間を短縮することができる信号処理部（座標検出装置）７が用いられているので、高性能なタッチパネル機能付きの表示装置を容易に構成することができる。
【００９３】
また、本実施形態では、キャリブレーション処理を行うときに、基準点表示指示部１１ａが図５に例示したように、表示画面を第１〜第４象限に分割している。また、オフセット補正値算出部１１ｂ１がオフセット補正値Ｘ０、Ｙ０を算出するとともに、拡大／縮小補正値算出部（非対称補正値算出部）１１ｂ２が拡大／縮小補正値Ｘ２３、Ｘ１４、Ｙ１２、Ｙ３４を算出している。これにより、本実施形態では、表示画面と指示入力面との間に上下非対称あるいは左右非対称のズレが生じているときでも、適切な補正値を簡単に求めて、座標検出処理の処理時間を短縮することができる。
【００９４】
また、本実施形態では、表示座標の検出処理を行うときに、図７のステップＳ８に示したように、象限判別部（領域判別部）１０ｂ１がオフセット補正後の指示座標値ｘ６’が第２、第３象限あるいは第１、第４象限のいずれの象限に属しているかについて判別した後、表示座標検出部１０ｂはその判別結果に応じた拡大／縮小補正値Ｘ２３、Ｘ１４にて指示座標値ｘ６’を補正し、表示座標のＸ座標値Ｘ７を検出している。また、図７のステップＳ１０に示したように、象限判別部１０ｂ１がオフセット補正後の指示座標値ｙ６’が第１、第２象限あるいは第３、第４象限のいずれの象限に属しているかについて判別した後、表示座標検出部１０ｂはその判別結果に応じた拡大／縮小補正値Ｙ１２、Ｙ３４にて指示座標値ｙ６’を補正し、表示座標のＹ座標値Ｙ７を検出している。これにより、本実施形態では、表示座標の座標検出処理を簡単化することが可能となり、当該座標検出処理の処理時間をより確実に短縮することができる。
【００９５】
また、本実施形態では、図７のステップＳ７、Ｓ９、Ｓ１０、Ｓ１２、及びＳ１３に示したように、表示座標検出部１０ｂは、指示座標検出部１０ａからの指示座標（ｘ６、ｙ６）とメモリ（記憶部）１２に記憶されているオフセット補正値Ｘ０、Ｙ０及び拡大／縮小補正値Ｘ２３、Ｘ１４、Ｙ１２、Ｙ３４を用いて表示座標（Ｘ７、Ｙ７）の検出処理を行っているので、当該表示座標（Ｘ７、Ｙ７）を容易に、かつ、迅速に検出することができる。
【００９６】
また、本実施形態のキャリブレーション処理部１１及び座標検出部１０は、コンピュータに、図６及び図７にそれぞれ示した各処理を具現化させる座標検出プログラムをインストールし、この座標検出プログラムを実行することにより、実現することができる。したがって、本実施形態では、例えば上記座標検出プログラムを記録した記録媒体を用いることによって、本実施形態の座標検出方法を提供することができる。
【００９７】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００９８】
例えば、上記の説明では、本発明を透過型の液晶表示装置上に設置された抵抗膜式のタッチパネルに適用した場合について説明したが、本発明はこれに限定されるものではなく、表示装置の表示画面上に、あるいは表示装置と一体に設置されて指示が入力される各種指示入力装置に適用することができる。具体的には、静電容量式や表面弾性波方式などの他の方式のタッチパネルあるいはタブレットやタッチセンサなどの指示入力装置に好適に用いることができる。また、液晶ペンタブレットなどの表示装置と一体化された指示入力装置にも適用することができる。また、表示装置の内部に組み込まれた指示入力装置、例えば液晶表示装置の偏光板と液晶パネルの間に設置されたタッチパネルにも適用することができる。
【００９９】
また、本発明の表示装置は、表示画面に指示入力画像を表示可能に構成されたものであればよく、半透過型等の液晶表示装置や投写型表示装置などの非発光型の表示装置、あるいはＣＲＴ、ＰＤＰ、有機ＥＬなどの自発光型の表示装置を用いることもできる。
【０１００】
なお、本発明にかかる表示装置の用途は多岐に亘る。すなわち、上記パソコンのディスプレイ以外に、例えば携帯型情報端末（ＰＤＡ）、携帯型ゲーム機、または携帯電話等のディスプレイに適用されるだけでなく、ＡＴＭ（現金自動受け払い機）、公共の場に設置される情報端末、券売機、および車載用ディスプレイ等、様々な機器のディスプレイに適用される。
【０１０１】
また、上記の説明では、座標検出装置をタッチパネル（指示入力装置）に一体的に組み込んだ構成について説明したが、本発明の座標検出装置はこれに限定されるものではなく、指示入力装置と別体に構成したり、例えば図３に示したパソコンなどの他の電気機器（上位装置）の内部に組み込んだりすることもできる。
【０１０２】
また、上記の説明では、表示装置の表示画面の中心点と、この表示画面の上辺、下辺、左辺、及び右辺の各中点とを５点の基準点に用いた場合について説明したが、本発明は、キャリブレーション処理を行うときに、上記表示画面上に５点の基準点を表示させるとともに、これらの５点の基準点毎に、指示入力面での指示座標と、その指示座標に対応した基準点の表示座標とのズレ量を求めて、ズレを補正するための補正値を算出するものであれば何等限定されない。
【０１０３】
また、上記の説明では、基準点である上記中心点を原点とし、かつ、この中心点で互いに直交する上記Ｘ軸及びＹ軸を用いて表示画面上に第１〜第４象限を設定させた場合について説明したが、本発明はこれに限定されるものではなく、５点の基準点のうち、３点の基準点を通る第１の座標軸、及び３点の基準点の中心の基準点にて第１の座標軸と直交し、かつ、残りの２点の基準点を通る第２の座標軸を表示画面上に規定して、第１及び第２の座標軸を用いて当該表示画面上に第１、第２、第３、及び第４の領域を設定させるものであればよい。
【０１０４】
また、上記の説明では、表示画面の上辺、下辺、左辺、及び右辺の各中点を基準点に用いた場合について説明したが、本発明は、これに限定されるものではなく、表示画面の中心点に対して、左右及び上下で各々対称の位置にある４点、すなわち上記第１の座標軸上で表示画面の中心点を挟んで対称の位置にある２点と、上記第２の座標軸上で表示画面の中心点を挟んで対称の位置にある２点を用いたものであればよい。このような４点と中心点とを基準点に用いることにより、適切な補正値の算出処理をより簡単に行うことができ、キャリブレーション処理の処理時間の短縮化を図ることができる。
【０１０５】
但し、上記実施形態のように、表示画面の中心点と、当該表示画面の上辺、下辺、左辺、及び右辺の各中点とを基準点に用いて、表示画面上に上記中心点を原点とする、互いに同じ大きさの第１〜第４象限（領域）を設定させる場合の方が、適切な補正値の算出処理をさらに簡単に行うことができ、キャリブレーション処理の処理時間の短縮化をより容易に図ることができる点で好ましい。
【産業上の利用可能性】
【０１０６】
本発明は、適切な補正値を簡単に求めることができ、よって座標検出処理の処理時間を短縮することができる座標検出装置、及びこれを用いた表示装置、並びに座標検出方法に対して有用である。
【図面の簡単な説明】
【０１０７】
【図１】本発明の一実施形態にかかる液晶表示装置の概略構成を示す側面図である。
【図２】図１に示したタッチパネルに設けられた電極部の構成を説明する図であり、（ａ）及び（ｂ）はそれぞれ上部電極部側及び下部電極部側から見たときの下部電極部及び上部電極部の平面図である。
【図３】上記タッチパネルの要部構成を示すブロック図である。
【図４】図３に示したキャリブレーション処理部にて表示画面に表示される基準点を説明する図である。
【図５】上記キャリブレーション処理部による補正値の取得処理を説明する図である。
【図６】上記キャリブレーション処理部の動作を示すフローチャートである。
【図７】図３に示した座標検出部の動作を示すフローチャートである。
【符号の説明】
【０１０８】
１    表示装置
２    タッチパネル（指示入力装置）
７    信号処理部（座標検出装置）
１０    座標検出部
１０ａ    指示座標検出部
１０ｂ    表示座標検出部
１０ｂ１    象限判別部（領域判別部）
１１    キャリブレーション処理部
１１ａ    基準点表示指示部
１１ｂ    補正値算出部
１１ｂ１    オフセット補正値算出部
１１ｂ２    拡大／縮小補正値算出部（非対称補正値算出部）
１２    メモリ（記憶部）
ｄｓ    表示画面
ｔｓ    指示入力面
【図１】
2008276310.tif 000003
【図２】
2008276310.tif 000004
【図３】
2008276310.tif 000005
【図４】
2008276310.tif 000006
【図５】
2008276310.tif 000007
【図６】
2008276310.tif 000008
【図７】
2008276310.tif 000009